(57)【特許請求の範囲】
【請求項１】
モジュール式医療システムであって、
患者パラメータの第１のセットを測定するよう動作可能なベッドサイド患者モニタと、
患者パラメータの第２のセットを測定するよう動作可能なポータブル患者モニタと、
前記ポータブル患者モニタを前記ベッドサイド患者モニタにドッキングするよう動作可能なモニタドッキングステーションであって、前記ベッドサイド患者モニタが、前記患者パラメータの第１のセットを測定し、前記ポータブル患者モニタは、前記ポータブル患者モニタが前記ベッドサイド患者モニタにドッキングされ、患者に結合されるとき、前記患者パラメータの第２のセットを前記ベッドサイド患者モニタに転送する、モニタドッキングステーションと、
条件付きで前記患者に電気療法を供給するよう動作可能な治療アプリケータと、
前記ポータブル患者モニタを前記治療アプリケータにドッキングするよう動作可能な治療ドッキングステーションとを有し、
前記治療アプリケータが、前記ポータブル患者モニタが前記治療アプリケータにドッキングされ、前記患者に結合されることに基づき、条件付きで前記患者に前記電気療法を供給する、モジュール式医療システム。
【請求項２】
前記モニタドッキングステーション及び前記治療ドッキングステーションが、単一のドッキングステーションに一体化される、請求項１に記載のモジュール式医療システム。
【請求項３】
前記単一のドッキングステーションが、前記ポータブル患者モニタに組み込まれる、請求項２に記載のモジュール式医療システム。
【請求項４】
前記モニタドッキングステーションが、前記ベッドサイド患者モニタに組み込まれる、請求項１に記載のモジュール式医療システム。
【請求項５】
前記モニタドッキングステーションが、前記ポータブル患者モニタに組み込まれる、請求項１に記載のモジュール式医療システム。
【請求項６】
前記治療ドッキングステーションが、前記治療アプリケータに組み込まれる、請求項１に記載のモジュール式医療システム。
【請求項７】
前記治療ドッキングステーションが、前記ポータブル患者モニタに組み込まれる、請求項１に記載のモジュール式医療システム。
【請求項８】
前記患者パラメータの第１のセットが、前記患者パラメータの第２のセットを含む、請求項１に記載のモジュール式医療システム。
【請求項９】
前記治療アプリケータが、前記ポータブル患者モニタが前記治療アプリケータにドッキングされ、前記患者に結合されることに基づき、患者パラメータの第３のセットを測定するよう更に動作可能である、請求項１に記載のモジュール式医療システム。
【請求項１０】
前記患者パラメータの第３のセットが、前記患者パラメータの第２のセットを含む、請求項９に記載のモジュール式医療システム。
【請求項１１】
前記モニタドッキングステーションが、前記ポータブル患者モニタに電力を供給するよう動作可能である、請求項１に記載のモジュール式医療システム。
【請求項１２】
前記治療ドッキングステーションが、前記ポータブル患者モニタに電力を供給するよう動作可能である、請求項１に記載のモジュール式医療システム。
【請求項１３】
前記ベッドサイド患者モニタ及び前記ポータブル患者モニタが、前記ポータブル患者モニタが前記ベッドサイド患者モニタにドッキングされることに基づき、光学データリンクを確立する、請求項１に記載のモジュール式医療システム。
【請求項１４】
前記ポータブル患者モニタ及び前記治療アプリケータが、前記ポータブル患者モニタが前記治療アプリケータにドッキングされることに基づき、光学データリンクを確立する、請求項１に記載のモジュール式医療システム。
【請求項１５】
前記ポータブル患者モニタが、少なくとも１つの追加的な医療デバイスにドッキングされるよう動作可能である、請求項１に記載のモジュール式医療システム。
【発明の詳細な説明】
【技術分野】
【０００１】
本発明は一般に、モジュール式医療システム（例えば、ベッドサイド患者モニタ及び除細動器／モニタを使用するモジュールシステム）に関する。本発明は具体的には、ベッドサイド患者モニタ又は治療アプリケータ（例えば、除細動器）とドッキングされることができるポータブル患者モニタに関する。
【背景技術】
【０００２】
ポータブル除細動器／モニタは、病院内及び外で緊急医療ケアのために使用される。これらのデバイスは、例えば、心電図（「ＥＣＧ」）、パルスオキシメトリ（「Ｓｐ０２」）、非侵襲的血圧（「ＮＩＢＰ」）、呼気（呼気終末）二酸化炭素「ＥｔＣ０２」）、温度及び侵襲的血圧（「ＩＢＰ」）といった１つ又は複数のバイタルサイン監視パラメータを組み込む。これらのデバイスは、例えば、除細動ショック、同期化された除細動及び経皮ペーシングといった電気治療供給能力を更に組み込む。
【０００３】
ポータブル除細動器／モニタのモジュラバージョンでは、患者測定能力の全部又は一部は、高エネルギー治療供給のために除細動器から分離可能なポータブル患者モニタにより主に提供される。ポータブル患者モニタは一般に、除細動器よりも小さく軽量である。除細動器は、高エネルギー治療供給に必要とされるより大きくより重い電気部品を収容する。ポータブル患者モニタは小型で軽量であるため、ポータブル患者モニタは容易に取り扱われることができ、患者が運搬されるとき、患者のバイタルパラメータを連続的に監視するために患者と共にストレッチャ上に置かれることができる。
【０００４】
例えば、ｃｏｒｐｕｌｓ３として知られる市販のモジュール式除細動器／モニタは、モニタリングユニット、患者ボックス、及び除細動器／ペースメーカユニットに分割されることができる。分割されると、これらのモジュールは患者ボックスと無線通信することができ、患者ボックスは、監視ユニットと除細動器／ペースメーカユニットの両方に関するディスプレイ及びユーザインタフェース制御を提供する。
【０００５】
これと比較して、ベッドサイド患者モニタが、ケア環境、患者の鋭敏さレベル、及び臨床的要件に及ぶモジュラ機能を組み込むこともできる。より具体的には、例えば市販のＩｎｔｅｌｌｉＶｕｅ  ＭＸ８００といったベッドサイド患者モニタは、市販のフレキシブルモジュールラック（最大８つの測定モジュールを保持することができる）を介して又は例えばポータブル患者モニタとしても動作することができるＩｎｔｅｌｌｉＶｕｅ  Ｘ２のようなマルチ測定モジュールを介して、マルチ測定監視をサポートすることができる。
【０００６】
当該技術分野で知られるように、高深刻度の患者は、病院に運ばれ、病院内で継続的に監視される。例えば、図１を参照すると、ベッドサイド患者モニタ２０は典型的には、患者ベッド１２に隣接する患者空間１０（例えば、救急車、患者室又は手術室）の壁に取り付けられ、高深刻度患者１１の以下の測定がベッドサイド患者モニタ２０により行われる。
【０００７】
それは、（１）ベッドサイド患者モニタ２０を患者１１の胸部に結合する電極／リード１３ａを備える心電図（「ＥＣＧ」）、
（３）ベッドサイド患者モニタ２０を患者１１の腕に結合するカフ１４を備える非侵襲的血圧（「ＮＨ３Ｐ」）、及び
（２）ベッドサイド患者モニタ２０を患者１１の指に結合する指先センサ１５を備える脈波オキシメトリ（「Ｓｐ０２」）である。
【０００８】
追加的なモニタリングパラメータは、呼気二酸化炭素（「ＥｔＣ０２」）、体温、及び侵襲的血圧（「ＩＢＰ」）を含む。
【発明の概要】
【発明が解決しようとする課題】
【０００９】
高深刻度患者を病院の別の場所又は別の施設（例えばＣＴスキャンのため患者室から放射線検査部へ）に搬送する必要があるとき、病院のプロトコルはしばしば、搬送の間患者が突然の心停止（"ＳＣＡ"）を起こす場合迅速にショックを与えるため、患者が除細動器に接続されることを必須とする。ＳＣＡの場合、即時治療が、生存及び神経回復の可能性を高める。
【００１０】
図１に示されるように、ベッドサイド患者モニタは典型的には、前述したように患者の部屋の壁に取り付けられる。従って、患者搬送に使用される除細動器は通常、自身の患者モニタリング能力を組み込む。こうして、高深刻度患者を搬送するため、ベッドサイド患者モニタから患者に取り付けられたリード線が外され、高深刻度患者から除細動器に新たなセットのリード線が接続されなければならない。目的地（元の患者室に戻る可能性もある）では、除細動器から患者へのリードが外され、患者からベッドサイド患者モニタユニットに新しいセットのリード線が取り付けられなければならない。
【００１１】
例えば、図１に示されるように、ベッドサイド患者モニタ２０は、患者空間１０における壁に取り付けられ、除細動器３０は、患者搬送目的のため、自身の患者モニタリング能力を組み込む。別の患者空間（即ち目的地）への搬送のために高深刻度患者１１を準備するとき、ベッドサイド患者モニタ２０から患者１１に取り付けられた電極／リード線１３ａは取り外され、患者１１から除細動器３０への異なるセットの電極／リード線１３ｂが接続されなければならない。これにより、除細動器３０は、パッド／パドル３１を介して条件付きで患者１１に電気療法を供給することができる。目的地では、除細動器２０から患者１１への電極／リード線１３ｂが取り外されなければならず、患者空間１０に戻る場合、患者１１から別のベッドサイド患者モニタ又はベッドサイド患者モニタ２０への新たなセットの電極／リード線が取り付けられる必要がある。更に、搬送のために患者１１を準備するとき、カフ１４及び／又はセンサ１５を置換するため、新しいカフ及び／又は指先センサが必要とされる場合がある。
【課題を解決するための手段】
【００１２】
本発明は、ベッドサイド患者モニタ又は治療アプリケータ（例えば、除細動器）に完全なスタンドアローンのポータブル患者モニタを選択的にドッキングすることにより、従来技術を進歩させる。
【００１３】
例えば、図２に示されるように、患者１１が患者空間２０内の患者ベッド１２に置かれるとき、ポータブル患者モニタ４０（例えば、ＩｎｔｅｌｌｉＶｕｅ Ｘ２）が、モニタリングドッキングステーション５０を介してベッドサイド患者モニタ２０（例えばＩｎｔｅｌｌｉＶｕｅ ＭＸ８００）にドッキングされる。これにより、モニタ２０及びモジュール４０は、ポータブル患者モニタ４０を患者１１に結合する電極／リード線１３ｃ、カフ１４及びセンサ１５から患者１１の様々なパラメータ測定（例えば、ＥＣＧ、ＮＩＢＰ及びＳｐ０２）を実行する。別の患者空間への搬送のために患者１１を準備するとき、当該技術分野で知られるベッドサイド患者モニタ２０から患者１１への電極／リード線１３ｃは、取り外されない。逆に、ポータブル患者モニタ４０がベッドサイド患者モニタ２０からドッキング解除され、治療ドッキングステーション６０を介して除細動器３０にドッキングされるとき、電極／リード線１３ｃ並びにカフ１４及びセンサ１５は患者１１に取り付けられたままである。これにより、除細動器３０は、パッド／パドル３１を介して条件付きで患者１１に電気療法を供給することができる。目的地では、ポータブル患者モニタ４０がドッキングステーション６０からドッキング解除され、モニタリングドッキングステーションを介してベッドサイド患者モニタにドッキングされるとき（例えば、患者空間１０に戻るとき、ポータブル患者モニタ４０をベッドサイド患者モニタ２０に再ドッキングする）、電極／リード線１３ｃ並びにカフ１４及びセンサ１は、患者１１に取り付けられたままである。
【００１４】
この新規かつユニークなドッキング機構は、市販のモジュール式医療システムを含むが、これに限定されないモジュール式医療システムのため、及び新しく開発された又は開発中のモジュール式医療システムのため、多くの形態で実現されることができる。
【００１５】
本発明の１つの形態は、ベッドサイド患者モニタ、ポータブル患者モニタ、モニタドッキングステーション、治療アプリケータ及び治療ドッキングステーションを使用するモジュラ（モジュール式）医療システムである。動作中、ポータブル患者モニタは、モニタドッキングステーションを介してベッドサイド患者にドッキングされる。これにより、ベッドサイド患者モニタ及びポータブル患者モニタは、ポータブル患者モニタが患者に結合されるとき、患者のパラメータ（例えば、ＥＣＧ、ＳｐＯ２、脈拍数、ＮＩＢＰ、ＥｔＣ０２など）を測定する。代替的に、ポータブル患者モニタが治療用ドッキングステーションを介して治療用アプリケータにドッキングされる。これにより、ポータブル患者モニタが患者に結合されるとき、治療アプリケータが、電気的な治療（例えば、除細動ショック、同期変換、経皮ペーシングなど）を条件付きで患者に供給する。
【００１６】
本発明の目的のため、「モジュール式医療システム」、「ベッドサイド患者モニタ」、「ポータブル患者モニタ」、「ドッキングステーション」、「患者パラメータ」及び「電気療法」を含むがこれらに限定されない用語は、本発明の技術分野で知られるように広義に解釈され、本書に例示的に記載される。
【００１７】
本発明の目的のため、「治療アプリケータ」という用語は、除細動ショック、同期変換及び経皮的ペーシングを含むがこれらに限定されない、患者に電気療法を供給する医療デバイスを広く包含する。
【図面の簡単な説明】
【００１８】
【図１】従来技術によるベッドサイド患者モニタ−患者及び除細動器／モニタ−患者の例示的な結合を示す図である。
【図２】本発明の原理によるポータブル患者モニタ−ベッドサイド患者モニタ及びポータブル患者モニタ−除細動器の例示的なドッキングを示す図である。
【図３】本発明の原理によるポータブル患者モニタ及びベッドサイド患者モニタの例示的な実施形態を示す図である。
【図４】本発明の原理によるポータブル患者モニタ及び治療用アプリケータの例示的な実施形態を示す図である。
【図５】本発明の原理によるモジュール間の無線／光通信リンクの第１の例示的な実施形態を示す図である。
【図６】本発明の原理によるモジュール間の無線／光通信リンクの第２の例示的な実施形態を示す図である。
【発明を実施するための形態】
【００１９】
本発明の前述及び他の形式並びに本発明の様々な特徴及び効果が、添付の図面と共に、本発明の様々な実施形態の以下の詳細な説明から更に明らかになる。詳細な説明及び図面は、本発明を限定するものではなく、単に説明するものである。本発明の範囲は、添付の特許請求の範囲及びその均等の範囲により規定される。
【００２０】
本発明の理解を容易にするため、本発明の例示的な実施形態が、ポータブル患者モニタ４０のベッドサイド患者モニタ２０へのドッキング（図３）、及びポータブル患者モニタ４０の除細動器３０の形態の治療アプリケータへのドッキング（図４）に関連して本書に提供される。にもかかわらず、当業者であれば、本書に例示的に記載される本発明の原理に基づき、本発明の追加的な実施形態を作成及び使用する者を理解するであろう。
【００２１】
本発明の目的のため、「ディスプレイ」、「ユーザインタフェース」、「電源」、「電池」、「電源」及び「患者データレポジトリ」を含むがこれらに限定されない用語は、本発明の技術分野で知られるように広義に解釈され、本書に例示的に記載される。
【００２２】
本発明の目的のため、用語「コントローラ」は、後述される本発明の様々な原理の適用を制御する医療機器内に収容されるか、又は医療機器にリンクされる特定用途メインボード又は特定用途向け集積回路のすべての構造的構成を広く包含する。コントローラの構造的構成は、プロセッサ、コンピュータ使用可能／コンピュータ可読記憶媒体、オペレーティングシステム、実行可能ソフトウェア／ファームウェア、周辺デバイスコントローラ、スロット及びポートを含むがこれらに限定されるものではない。
【００２３】
本発明の原理により、図３は、モニタドッキングステーション５０を介したポータブル患者モニタ４０のベッドサイド患者モニタ２０へのドッキングを示す。
【００２４】
具体的には、ベッドサイド患者モニタ２０は、
（１）患者パラメータ測定値をテキストで及び／又はグラフィカルに示すディスプレイ２１と、
（２）患者パラメータ測定の実行及び／又は表示を選択的に制御するためのユーザインタフェース２２（例えば、ボタン及び／又はタッチスクリーン）と、
（３）（ａ）患者パラメータ（例えば、ＥＣＧ、ＳｐＯ２、ＮＩＢＰ、ＥｔＣＯ２、温度及び／又はＩＢＰ）の測定、（ｂ）データ管理（例えば、イベント記録及び送信）及び（ｃ）ポータブル患者モニタ４０及び患者データリポジトリ８０との有線／無線データ通信の自動的及び／又はユーザ制御のためのモニタコントローラ２３と、
（４）電源７０により電力供給される電力供給部２４とを含む。
【００２５】
ポータブル患者モニタ４０は、
（１）患者パラメータ測定をテキストで及び／又はグラフィカルに示すディスプレイ４１と、
（２）患者パラメータ測定の実行及び／又は表示を選択的に制御するためのユーザインタフェース４２（例えば、ボタン及び／又はタッチスクリーン）と、
（３）（ａ）患者パラメータ（例えば、ＥＣＧ、ＳｐＯ２、ＮＩＢＰ、ＥｔＣＯ２、温度及び／又はＩＢＰ）の測定、（ｂ）データ管理（例えば、イベント記録及び送信）及び（ｃ）ベッドサイド患者モニタ２０の患者データレポジトリ８０及び／又はモニタリングセンター８１との有線／無線データ通信の自動的及び／又はユーザ制御のためのモニタコントローラ４３と、
（４）電源７０により充電可能な充電式電池４４とを含む。
【００２６】
モニタ２０及び４０は、ドッキングインターフェース２５及び４５を更に組み込み、モニタドッキングステーション５０は、ドッキングインターフェース２５及び４５の間の接続６１を確立して、
（１）機械的カプラ（図示省略）（例えば、クイックコネクト／リリースラッチ）を介したモニタ２０及び４０の確実な結合、
（２）モニタ２０と４０との間のデータ転送（例えば、ネットワーク、シリアル及び／又はパラレルガルバニック接続）（代替的に、Ｗｉ-Ｆｉ又はＢｌｕｅｔｏｏｔｈなどの無線通信が利用されることができる。）、及び
（３）必要に応じてモニタ４０の電力供給（例えば、ガルバニック接続又は誘導結合）を容易にする。
【００２７】
実際には、
（１）ベッドサイド患者モニタ２０による患者パラメータ測定は、ポータブル患者モニタ４０による患者パラメータ測定値の一部又は全部を含むか又は排除することができる。
（２）ポータブル患者モニタ４０は、ドッキングステーション５０（例えば、撮像デバイス、診断用ＥＣＧデバイス、胎児モニタなど）を介して他の医療デバイスモジュールとドッキングされることができる。
（３）ポータブル患者モニタ４０のディスプレイ４１は、ベッドサイド患者モニタ２０にドッキングされるとき隠れてしまい、ポータブル患者モニタ４０による患者パラメータ測定の全てがベッドサイド患者モニタ２０に表示される。
（４）ポータブル患者モニタ４０のディスプレイ４１は、ベッドサイド患者モニタ２０にドッキングされるとき可視であり、ポータブル患者モニタ４０は、ポータブル患者モニタ４０による患者パラメータ測定値を表示する。
（５）ポータブル患者モニタ４０のディスプレイ４１は、ベッドサイド患者モニタ２０とドッキングされるとき可視であり、ベッドサイド患者モニタ２０及びポータブル患者モニタ４０が、ポータブル患者モニタ４０による患者パラメータ測定値を集合的又は分割可能に表示する。
（６）ポータブル患者モニタ４０のユーザインタフェース４２は、ベッドサイド患者モニタ２０にドッキングされるとき隠れてしまい、ベッドサイド患者モニタのユーザインタフェース２２が、ポータブル患者モニタ４０による患者パラメータ測定を制御する。
（７）ポータブル患者モニタ４０のユーザインタフェース４２は、ベッドサイド患者モニタ２０にドッキングされるとき可視であり、ポータブル患者モニタのユーザインタフェース４２は、ポータブル患者モニタ４０による患者パラメータ測定を制御する。
（８）ポータブル患者モニタ４０のユーザインタフェース４２は、ベッドサイド患者モニタ２０にドッキングされるとき可視であり、ポータブル患者モニタのユーザインタフェース４２は、ベッドサイド患者モニタ２０による患者パラメータ測定の一部又は全部を制御する。
（９）モニタドッキングステーション５０は、スタンドアロンドッキングステーションであるか、ベッドサイド患者モニタ２０若しくはポータブル患者モニタ４０に組み込まれるか、又は治療ドッキングステーション６０（図４）と一体化されることができる。
【００２８】
本発明の更なる発明原理により、図４は、治療用ドッキングステーション６０を介してポータブル患者モニタ４０を除細動器３０にドッキングすることを示す。
【００２９】
具体的には、除細動器３０は、
（１）アラーム及び／又は治療供給状態をテキストで及び／又はグラフィカルに示すディスプレイ３１と、
（２）電気療法の実行及び／又は表示を選択的に制御するためのユーザインタフェース３２と、
（３）（ａ）電気療法（例えば、除細動ショック、同期化された電気除細動及び経皮的ペーシング）の実行、（ｂ）患者パラメータ測定値（例えば、ＥＣＧ、ＳｐＯ２、ＮＩＢＰ、ＥｔＣＯ２、温度及び／又はＩＢＰ）、（ｃ）データ管理（例えば、イベント記録及び送信）、及び（ｄ）ポータブル患者モニタ４０の患者データレポジトリ８０及び／又はモニタリングセンター８１との有線／無線データ通信の自動的及び／又はユーザ制御のための治療コントローラ３３と、
（４）電源７０により充電可能な充電式電池３４を含む。
【００３０】
除細動器３０及びモニタ４０は、ドッキングインターフェース３５及び４５を更に組み込み、治療ドッキングステーション６０は、ドッキングインターフェース３５及び４５の間の接続６１を確立して、
（１）機械的カプラ（図示省略）（例えば、クイックコネクト／リリースラッチ）を介した細動除去器３０及びモニタ４０の確実な結合、
（２）除細動器３０とモニタ４０との間のデータ転送（例えば、ネットワーク、シリアル及び／又はパラレルガルバニック接続）（代替的に、Ｗｉ-Ｆｉ又はＢｌｕｅｔｏｏｔｈのような無線通信が利用されることができる。）、及び
（３）必要に応じてモニタ４０の電力供給（例えば、ガルバニック接続又は誘導結合）を容易にする。
【００３１】
実際には、
（１）除細動器３０による患者パラメータ測定値は、ポータブル患者モニタ４０による患者パラメータ測定値の一部又は全部を含むか又は除外することができる。
（２）ポータブル患者モニタ４０はここでも、ドッキングステーション６０（例えば、撮像デバイス、診断用ＥＣＧデバイス、胎児モニタなど）を介して他の医療デバイスモジュールとドッキングされることができる。
（３）ポータブル患者モニタ４０のディスプレイ４１は、除細動器３０にドッキングされるとき隠れてしまい、ポータブル患者モニタ４０による患者パラメータ測定値の全てが、除細動器３０に表示される。
（４）ポータブル患者モニタ４０のディスプレイ４１は、除細動器３０にドッキングされるとき可視であり、ポータブル患者モニタ４０は、ポータブル患者モニタ４０による患者パラメータ測定を表示する。
（５）ポータブル患者モニタ４０のディスプレイ４１は、除細動器３０とドッキングされるとき可視であり、除細動器３０及びポータブル患者モニタ４０は、ポータブル患者モニタ４０による患者パラメータ測定値を集合的に又は分割可能に表示する。
（６）ポータブル患者モニタ４０のユーザインタフェース４２は、除細動器３０にドッキングされるとき隠れてしまい、除細動器３０のユーザインタフェース３２は、ポータブル患者モニタ４０による患者パラメータ測定を制御する。
（７）ポータブル患者モニタ４０のユーザインタフェース４２は、除細動器３０にドッキングされるとき可視であり、ポータブル患者モニタのユーザインタフェース４２は、ポータブル患者モニタ４０による患者パラメータ測定を制御する。
（８）ポータブル患者モニタ４０のユーザインタフェース４２は、ベッドサイド患者モニタ２０にドッキングされるとき可視であり、ポータブル患者モニタのユーザインタフェース４２が、除細動器３０による患者パラメータ測定の一部又は全部を制御する。
（９）治療ドッキングステーション６０は、スタンドアロンドッキングステーションでああるか、除細動器３０若しくはポータブル患者モニタ４０に組み込まれるか、又はモニタドッキングステーション５０（図３）と一体化されることができる。
【００３２】
図２を参照すると、標準動作では、ベッドサイド患者モニタ２０は、ポータブル患者モニタ２０への接続性の有無にかかわらず、患者パラメータ測定が可能であり、細動除去器３０は、同様に、ポータブル患者モニタ４０への接続性の有無にかかわらず、基本的な電気療法を供給することができる。
【００３３】
ポータブル患者モニタ４０が、ベッドサイド患者モニタ２０にドッキングされるとき、モニタ２０及び４０は、ユーザインタフェースの表示及び制御のための一貫した外観及び挙動を備える単一のモニタとして動作する。ポータブル患者モニタ４０がベッドサイド患者モニタ２０からドッキング解除されるとき、ポータブル患者モニタ４０は、ディスプレイ、ユーザ制御及びデータ管理を含むがこれらに限定されない完全な患者監視機能を備え、バッテリ電源で動作し続ける。
【００３４】
除細動器３０は、内因性心拍の欠如（即ち、デマンドペーシング又は同期ペーシング）に起因して、同期化された電気的除細動ためのショック又はペースパルスを供給するリードＥＣＧモニタリングを必要とする。ポータブル患者モニタ４０が除細動器３０にドッキングされるとき、ポータブル患者モニタ４０は、患者１１に取り付けられた３、４、５又はそれ以上の電極１３ｃを介して患者のリードＥＣＧの測定を含み、これにより除細動器３０とのデータ接続は、同期ショック又は同期ペーシングの適切なタイミングを確実にするため低レイテンシを提供する。
【００３５】
同時に又は代替として、リードＥＣＧがモニタリングモジュールにより取得される一実施形態では、除細動器３０は、患者１１に取り付けられた３、４、５又はそれ以上の電極を介して患者のリードＥＣＧの測定を含むことができる。
【００３６】
ドッキングステーション５０及び６０は、クイックアタッチ及びクイックリリース機能を提供し、強固な電力及びデータ通信接続のための安全なアタッチメントを提供する。一実施形態では、電力及びデータ通信は、電気的エネルギーがワイヤ及びコネクタ（図示省略）を通る導電性経路を介して流れるガルバニック接続を使用する。別の実施形態では、電力及びデータ通信は、データ通信及び電力の誘導結合のために無線技術（例えば、Ｗｉ-Ｆｉ又はＢｌｕｅｔｏｏｔｈ）を使用することができる。
【００３７】
ポータブル患者モニタ４０は、それが動作するとき、即ちドッキング又はドッキング解除されるときの両方で、患者データを管理する。一実施形態では、ポータブル患者モニタ４０の患者データは、モニタ２０若しくは除細動器３０に、患者データリポジトリ８０（図３及び図４）（例えば、Ｚｏｌｌ ＲｅｓｃｕｅＮｅｔといった電子患者ケアレポート（ｅＰＣＲ））に直接、又は中央の患者監視ステーション８１（図３及び図４）（例えば、Ｐｈｉｌｉｐｓ Ｉｎｔｅｌｌｉｖｕｅ Ｉｎｆｏｒｍａｔｉｏｎ Ｃｅｎｔｅｒ）に直接送信されることができる。ポータブル患者モニタ４０がドッキングされるとき、患者データは、有線又は無線のデータ通信機構を介してモニタ２０又は除細動器３０に転送されることができる。ポータブル患者モニタ４０がドッキングされていないとき、モニタ２０又は除細動器３０の患者データは、モニタ２０又は除細動器３０に無線で転送されることができる。別の実施形態では、ポータブル患者モニタ４０は、次にドッキングされるときに、モニタ２０又は除細動器３０に転送するため、その患者データを一時的に格納することができる。
【００３８】
図３及び図４を参照すると、モジュール間の有線通信は、ドッキングステーションにより容易にされる直接的な電気的接続を含み得る。実際には、直接的な電気接続を介する通信は一般に、例えばドッキングされるときの患者モニタ２０及び４０といった信号対ノイズ比が本質的に高い低電力、低エネルギーモジュールでうまく機能する。しかしながら、除細動器３０は、ドッキングされるとき除細動器３０とモニタ４０との間の直接的な電気的接続を妨害する大きなノイズを発生させる電気的治療を提供する。更に、直接的な電気的接続は、機械的インターフェースを必要としない他の形態の通信よりも速く摩耗及び破損する。
【００３９】
直接的電気接続の代替は、特に除細動器３０及びモニタ４０に関する無線データリンク及び光学データリンクである。一般に、無線データリンクは、アンテナを駆動して１つ又は複数の標準プロトコルを介してＲＦエネルギーを送受信する回路を使用し、光学データリンクは透過光を感知するために光源を使用する。
【００４０】
具体的には、図５及び６を参照すると、アンテナ４６を備えたモニタ４０が示され、アンテナ３６を備えた除細動器３０が示される。実際には、コントローラ３３及び４３は、ＷｉＦｉ、ＷｉＭａｘ、Ｂｌｕｅｔｏｏｔｈ、３Ｇ、ＮＦＣ、Ｚｉｇｂｅｅ、ＧＳＭ、及びワイヤレスＵＳＢ／ウルトラバンドなどを含むがこれらに限定されるものではないＲＦエネルギーを介して自由空間を通る電気的に隔離された通信を可能にする広範囲の無線通信モダリティ及び標準の１つを実現する。この無線データリンクは、モニタ４０及び除細動器３０がドッキング解除されるとき、最も適切である。
【００４１】
図５を参照すると、発光ダイオード（「ＬＥＤ」）４７を備えたモニタ４０が示され、光センサ３７を備えた除細動器３０が示される。動作中、トランシーバウィンドウ４８及び３８は整列され、ＬＥＤ４７及び光センサ３７が整列され、これにより、コントローラ３３により検出される光センサ３７を励起する光子を放射するよう、コントローラ４３がＬＥＤ４７を付勢する。この光学データリンクは、モニタ４０及び除細動器３０が閉じているとき、ドッキングされるとき、又はドッキング解除されるとき、最も適切である。
【００４２】
ドッキングの目的に関して代替的に、図６を参照すると、治療ドッキングステーション６０は、モニタ４０と除細動器３０との間の光学データリンクを確立するため、ＬＥＤ６２及び光センサ６３を具備することができる。図５の実施形態を参照して、モニタ４０と除細動器３０との間の物理的インターフェースを介してデータを送信するために光を使用することが、微小振動の磨耗及び破損を被る可能性のあるワイヤ、ケーブル及びコネクタの必要性を減らす。
【００４３】
実際には、光学データリンクは典型的には、双方向性である（例えば、除細動器３０はＬＥＤを備え、モニタ４０は光センサを備える）。更に、図５及び図６に示される無線データリンク及び光データリンクは、本発明の任意のモジュール式実施形態に適用可能である。
【００４４】
代替的に、変圧器が近接データリンクのために利用されてもよい。
【００４５】
図２〜図６を参照すると、当業者であれば、本発明の多くの利益を理解するであろう。その利益は、以下に限定されるものではないが、患者リード線の取り外し及び再取り付けの必要性の削減、及びリードが付けられていないとき患者をモニタリングする際の不連続性の回避を含む。
【００４６】
更に、当業者であれば、本書で提供される教示を考慮して、本開示／明細書で説明される、及び／又は図２〜図６に示される特徴、要素、部品が、電子要素／回路、ハードウェア、実行可能ソフトウェア及び実行可能なファームウェアの様々な組み合わせで実現され、特に本書に説明されるコントローラのアプリケーションモジュールとして実現され、単一の要素又は複数の要素に組み合わせられる機能を提供することができる点を理解されるであろう。例えば、図２〜図６に示される／説明される／表されるさまざまな特徴、要素、部品等の機能は、専用のハードウェアの使用を介してだけでなく、適切なソフトウェアに関連してソフトウェアを実行することができるハードウェアの使用を介して提供されることができる。プロセッサにより提供されるとき、この機能は、単一の専用のプロセッサにより、単一の共有プロセッサにより、又は複数の個別のプロセッサにより与えられることができる。個別のプロセッサの幾つかは、共有及び／又はマルチプレクス化されることができる。更に、「プロセッサ」という用語の明示的な使用は、ソフトウェアを実行することができるハードウェアを排他的に参照するものとして解釈されるべきでなく、以下に限定されるものではないが、デジタル信号プロセッサ（「ＤＳＰ」）ハードウェア、メモリ（例えば、ソフトウェアを格納する読出し専用メモリ（「ＲＯＭ」）、ランダムアクセスメモリ（「ＲＡＭ」）、不揮発性記憶装置等）、並びに処理を実行及び／又は制御することができる（及び／又は構成可能な）実質的に任意の手段及び／又は機械（ハードウェア、ソフトウェア、ファームウェア、これらの組み合わせ等を含む）を黙示的に含むことができる。
【００４７】
更に、本発明の原理、側面及び実施形態並びにその特別の実施例を述べる本書におけるすべての記載は、その構造的及び機能的均等の範囲の両方を含むものとして意図される。更に、斯かる均等の範囲は、現在既知の均等の範囲だけでなく、将来開発される均等の範囲（例えば、構造に関係なく、同じ又は実質的に類似する機能を実行することができるよう開発される任意の要素）を含むことが意図される。こうして、例えば、本書に与えられる教示の観点から、当業者であれば、本書の任意のブロック図が、本発明の原理を実現する図式的なシステム要素及び／又は回路の概念的な表示を表すことができることを理解されたい。同様に、当業者であれば、本書の教示の観点から、コンピュータ又はプロセッサが明示的に示されるかどうかに関わらず、任意のフローチャート、フロー図等は、コンピュータ可読記憶媒体で実質的に表されることができ、処理機能を持つコンピュータ、プロセッサ又は他のデバイスにより実行されることができるさまざまな処理を表すことができる点を理解されたい。
【００４８】
更に、本発明の例示的な実施形態は、例えばコンピュータ又は任意の命令実行システムによる使用又はこれに関連した使用のためのプログラムコード及び／又は命令を提供する、計算機が使用可能な及び／又はコンピュータ可読記憶媒体からアクセス可能なコンピュータプログラム又はアプリケーションモジュールの形をとることができる。本開示によれば、計算機が使用可能な又はコンピュータ可読記憶媒体は、例えば、命令実行システム、装置又はデバイスによる使用又はこれに関連した使用のためのプログラムを、含む、格納する、通信する、伝播する又は運搬することができる任意の装置とすることができる。斯かる例示的な媒体は例えば、電気、磁気、光学、電磁気、赤外線若しくは半導体システム（又は、装置若しくはデバイス）、又は伝搬媒体とすることができる。コンピュータ可読媒体の例は、半導体又はソリッドステートメモリ、磁気テープ、リムーバブルコンピュータディスケット、ランダムアクセスメモリ（ＲＡＭ）、読出し専用メモリ（ＲＯＭ）、フラッシュ（ドライブ）、リジッド磁気ディスク及び光学ディスクを含む。光学ディスクの現在の例は、読出し専用コンパクトディスク（ＣＤ―ＲＯＭ）、読出し／書込みコンパクトディスク（ＣＤ―Ｒ／Ｗ）及びＤＶＤを含む。更に、今後開発されることができる任意の新規なコンピュータ可読媒体が、本発明及び開示の例示的な実施形態に基づき使用又は参照されるコンピュータ可読媒体と考えられることもできる点を理解されたい。
【００４９】
新規かつ進歩性のあるモジュール式医療システムの好ましい及び例示的な実施形態を説明したが（これらの実施形態は例示的であって限定することを意図していない）、図２〜図６を含む本書に提供される教示に照らして当業者であれば修正及び変形が可能である点に留意されたい。従って、本書に開示される実施形態の範囲に含まれる本開示の好ましい及び例示的な実施形態において／これに対して、変更が加えられることができる点を理解されたい。
【００５０】
更に、本開示によるデバイスにおいて使用／実現されることができるようなデバイス等を組み込む及び／又は実現する、対応する及び／又は関連するシステムも同様に想定され、本発明の範囲内であると考えられる。更に、本開示によるデバイス及び／又はシステムを製造及び／又は使用する対応する及び／又は関連する方法も同様に想定され、本発明の範囲内であると考えられる。
【図１】
0006783781.tif 000002
【図２】
0006783781.tif 000003
【図３】
0006783781.tif 000004
【図４】
0006783781.tif 000005
【図５】
0006783781.tif 000006
【図６】
0006783781.tif 000007